(57)【要約】【課題】  従来、編物をしているときに毛糸玉が転がって行ったり、毛糸が絡まったりしている。また、いろいろな色の毛糸を使うときや同じ色の毛糸を大量に使うときに、一つ一つの毛糸玉をその都度準備する必要があった。  さらに編物を止めたあとには毛糸玉を一つ一つ片付けなければならなかった。  そこで、毛糸玉が転がって行かず、また、絡まらない、さらに作業、および、後片付けが速やかに行える、連結式毛糸玉ケースを提供する。【解決手段】  ケースの胴体部（１）の上面部（２）に毛糸の出口穴（３）を設け、胴体部（１）の上下の中心付近に小さ目の連結用マジックテープ（４）と、その反対側の胴体部（１）の上下の中央部にも、連結用として大き目のマジックテープ（８）を設けると共に、ケースの底面部（９）から毛糸玉を入れたあとに、口を絞るための細めのワイヤー（１６）を内臓したカバー（１０）を設けたことを特徴とする連結式毛糸玉ケース。【選択図】図１
2011231440.tif 000002
【特許請求の範囲】
【請求項１】
毛糸玉を収納するケースの胴体部（１）は円柱状とし、ケース上面部（２）には毛糸の出口穴（３）を設け、胴体部（１）には上下の中心付近に連結用として小さ目の連結用マジックテープ（４）のフック面（５）を設け、そのすぐ横側に楕円の輪状になった蓋（６）の裏側にフック面（５）と同じ大きさのマジックテープ（４）のループ面（７）を設けるとともに、その胴体部（１）の小さ目の連結用マジックテープ（４）の反対側の上下の中央部にも連結用として大き目のマジックテープ（８）のループ面（７）を、楕円の輪状になった蓋（６）を設けていない側のフック面（５）に近づけて設け、ケースの底面部（９）については毛糸玉を入れるためにカバー（１０）仕様とし、底面部（９）の円周（１１）には太目のワイヤー（１２）を錘として内蔵させ、底面部（９）のカバー（１０）の先端部（１３）には、片方の先端に小さな楕円形プラスチック（１４）が付き、もう片方の先端が輪状（１５）になっている細めのワイヤー（１６）を引っ張ることができる状態で内蔵させ、底面部（９）のカバー（１０）の面積については、細めのワイヤー（１６）を引っ張り底面部（９）のカバー（１０）の口を絞った状態で、毛糸玉が落ちない程度の面積とするように構成した連結式毛糸玉ケース。
【発明の詳細な説明】
【技術分野】
【０００１】  本発明は、家庭等において毛糸などで編物をしている作業を見ていると、毛糸玉が転がって行ったり途中で毛糸が絡まったりしていた。
また、いろいろな色の毛糸を使うときや同じ色の毛糸を大量に使うときには、一つ一つの毛糸玉をその都度準備する必要があった。
さらに、編物を止めたあとに毛糸玉を一つ一つ片付けなければならないことから、従来のままで行うのは編物がやり易くできているかどうか疑問であった。
よって連結式の毛糸玉ケースに毛糸等を収納することにより、編物をするときに毛糸玉が転がらず、また、毛糸が絡まらないようになり、ならびに、ケースを連結することによって作業、ならびに、後片付けが、速やかに行えるように工夫した連結式毛糸玉ケースに関するものである。
【背景技術】
【０００２】  従来、家庭等において毛糸などで編物をしている作業を見ていると、毛糸玉が転がって行ったり途中で毛糸が絡まったりしていた。
また、いろいろな色の毛糸を使うときや同じ色の毛糸を大量に使うときには、一つ一つの毛糸玉を、そのつど、準備する必要があった。
さらに編物を止めたあとに毛糸玉を、一つ一つ片付けなければならないことから、従来のままで行うのは編物がやり易くできているかどうか疑問であった。
【発明の概要】
【発明が解決しようとする課題】
【０００３】  いままで編物をするときには、次のような問題点があった。
編物をするときに毛糸玉が転がって行ったり、また、毛糸が絡まって、その度に解くための無駄な時間を費やしたり、さらに編物を継続して行くために、次の毛糸玉の準備に時間がかかっていた。
編物を楽しくするためには、煩わしいことを少しでもなくす必要があることを考えると、毛糸玉の収納方法、および、作業手順の改善をする必要があった。
本発明は、以上のような欠点を解決するためになされたものである。
【課題を解決するための手段】
【０００４】  毛糸玉を収納するケースの胴体部（１）は円柱状とし、ケース上面部（２）には毛糸の出口穴（３）を設ける。
胴体部（１）には上下の中心付近に連結用として小さ目の連結用マジックテープ（４）（登録商標）のフック面（５）を設ける。
そのすぐ横側に楕円の輪状になった蓋（６）の裏側にフック面（５）と同じ大きさのマジックテープ（４）のループ面（７）を設けるとともに、その胴体部（１）の小さ目の連結用マジックテープ（４）の反対側の上下の中央部にも連結用として大き目のマジックテープ（８）のループ面（７）を、楕円の輪状になった蓋（６）を設けていない側のフック面（５）に近づけて設ける。
ケースの底面部（９）については毛糸玉を入れるためにカバー（１０）仕様とし、底面部（９）の円周（１１）には太目のワイヤー（１２）を錘として内蔵させる。
底面部（９）のカバー（１０）の先端部（１３）には、片方の先端に小さな楕円形プラスチック（１４）を付ける。
もう片方の先端が輪状（１５）になっている細めのワイヤー（１６）を引っ張ることができる状態で内蔵させる。
底面部（９）のカバー（１０）の面積については、細めのワイヤー（１６）を引っ張り底面部（９）のカバー（１０）の口を絞った状態で、毛糸玉が落ちない程度の面積とする。
以上を特徴とする連結式毛糸玉ケースである。
【発明の効果】
【０００５】  毛糸玉を連結式の毛糸玉ケースに収納することにより、毛糸玉の転がりや絡まりの防止ができる。
また、編物を継続して行くために前もって幾つかの毛糸玉をケース内に入れて置くことにより、次の毛糸玉を準備する回数が減り、編物を行う手順が良くなる。
さらに後片付けや整理整頓も行い易くなる。
【図面の簡単な説明】
【０００６】
【図１】  本発明の斜め上から見た斜視図である。
【図２】  本発明の横から見た側面図である。
【図３】  本発明の上部から見た平面図である。
【図４】  本発明の下部から見た平面図である。
【発明を実施するための形態】
【０００７】  以下、本発明の実施の形態について説明する。
（イ）毛糸玉を収納するケースの胴体部（１）は円柱状とし、ケース上面部（２）には直径１センチ程度の毛糸の出口穴（３）を設ける。
（ロ）胴体部（１）の上下の高さの中心付近に、縦４センチ、横３センチ位の小さ目の連結用マジックテープ（４）のフック面（５）を設け、そのすぐ横側に楕円の輪状になった蓋（６）の裏側にフック面（５）と同じ大きさのマジックテープ（４）のループ面（７）を設ける。
（ハ）胴体部（１）の小さ目の連結用マジックテープ（４）の反対側の上下の中央部にも連結用として、縦４センチ、横７センチ位の大き目のマジックテープ（８）のループ面（７）を設ける。
（ニ）ケースの低面部（９）については毛糸玉を入れるためにカバー（１０）仕様とし、底面部（９）の円周（１１）には太目のワイヤー（１２）を錘として内蔵させる。
（ホ）底面部（９）のカバー（１０）の先端部（１３）には、片方の先端に小さな楕円形プラスチック（１４）を付け、もう片方の先端は輪状（１５）になっている細めのワイヤー（１６）を引っ張ることができる状態で内蔵させる。
（ヘ）細めのワイヤー（１６）の小さな楕円形プラスチック（１４）を付けた先端を、もう片方の先端の輪状（１５）内に通しておく。
（ト）底面部（９）のカバー（１０）の面積については、細めのワイヤー（１６）を引っ張り底面部（９）のカバー（１０）の口を絞った状態で、毛糸玉が小さくなっても落ちない程度の面積とする。
（チ）小さな楕円形プラスチック（１４）を付けた先端を引っ張り、底面部（９）のカバー（１０）の口を絞った状態のときにできる細めのワイヤー（１６）の余分な部分は、楕円の輪状になった蓋（６）に下側から通し収納する。
（リ）連結式毛糸玉ケースを連結する場合は、大き目のマジックテープ（８）のループ面（７）に小さ目の連結用マジックテープ（４）のフック面（５）を張り付けて連結する。
（ヌ）連結式毛糸玉ケースを単体で使用する場合は、楕円の輪状になった蓋（６）の裏側のループ面（７）を連結用マジックテープ（４）のフック面（５）に張り付けておくと良い。
（ル）ケースの材質はポリエステル等の繊維とする。
本発明は、以上の構成よりなる連結式毛糸玉ケースである。
【符号の説明】
【０００８】１  ケースの胴体部
２  ケース上面部
３  毛糸の出口穴
４  小さ目の連結用マジックテープ（登録商標）
５  フック面
６  楕円の輪状になった蓋
７  ループ面
８  大き目のマジックテープ
９  ケースの底面部
１０  カバー
１１  円周
１２  太目のワイヤー
１３  先端部
１４  小さな楕円形プラスチック
１５  輪状
１６  細めのワイヤー
【図１】
2011231440.tif 000003
【図２】
2011231440.tif 000004
【図３】
2011231440.tif 000005
【図４】
2011231440.tif 000006